(57)【要約】      （修正有）【課題】輝度を向上させ、瑕疵又は汚点を覆い隠し、干渉(クロストーク)を低減できる表示装置を提供する。【解決手段】表示装置１は、導光板１１、第一光源１２、複数の第一微細構造１３及び複数の背景微細構造１４を含む。導光板は、第一入光面１１１を含む。第一光源は、第一入光面に配置され、第一光線Ｌ１を発して第一入光面を経由して導光板に伝播させる。第一微細構造は導光板に配置され、互いに対称でない第一傾斜面１３１及び第二傾斜面１３２を有し、且つ第一傾斜面は、第一光源に面し、第一光線を反射する。背景微細構造は、導光板に配置され、少なくとも１つの対称軸ａを有する。【選択図】図２
0003215833.tif 000002
【実用新案登録請求の範囲】
【請求項１】
表示装置であって、
第一入光面を含む導光板；
前記第一入光面に配置される第一光源であって、前記第一光源は、第一光線を発して前記第一入光面を経由して前記導光板に伝播させる、第一光源；
前記導光板に配置される複数の第一微細構造であって、各前記第一微細構造は、互いに対称でない第一傾斜面及び第二傾斜面を有し、且つ前記第一傾斜面は、前記第一光源に面し、前記第一傾斜面は、前記第一光線を反射する、複数の第一微細構造；及び
前記導光板に配置される複数の背景微細構造であって、各前記背景微細構造は、少なくとも１つの対称軸を有し、且つ前記複数の背景微細構造は、前記第一光線を乱反射する、複数の背景微細構造を含む、表示装置。
【請求項２】
請求項1に記載の表示装置であって、
前記導光板は、さらに、出光面及び前記出光面に対向する底面を有し、前記出光面及び前記底面は、それぞれ、前記第一入光面に隣接し、前記複数の第一微細構造は、前記底面に配置され、前記複数の背景微細構造は、前記底面又は前記出光面に配置され、前記第一光線は、前記複数の第一微細構造の前記第一傾斜面により反射されて前記出光面から射出する、表示装置。
【請求項３】
請求項1に記載の表示装置であって、
前記表示装置は、さらに、第二光源及び複数の第二微細構造を含み、前記導光板は、さらに、第二入光面を含み、前記第二光源は、前記第二入光面に配置され、且つ第二光線を発して前記第二入光面を経由して前記導光板に伝播させ、前記複数の第二微細構造は、前記導光板に配置され、各前記第二微細構造は、互いに対称でない第三傾斜面及び第四傾斜面を有し、且つ前記第三傾斜面は、前記第二光源に面し、前記第三傾斜面は、前記第二光線を反射し、前記複数の背景微細構造は、前記第一光線及び前記第二光線を乱反射する、表示装置。
【請求項４】
請求項3に記載の表示装置であって、
前記導光板は、さらに、出光面及び前記出光面に対向する底面を含み、前記出光面及び前記底面は、それぞれ、前記第一入光面と前記第二入光面との間に隣接し、前記複数の第一微細構造及び前記複数の第二微細構造は、前記底面に配置され、前記複数の背景微細構造は、前記底面又は前記出光面に配置され、前記第一光線は、前記複数の第一微細構造の前記第一傾斜面により反射されて前記出光面から射出して第一画像を形成し、前記第二光線は、前記複数の第二微細構造の前記第三傾斜面により反射されて前記出光面から射出して第二画像を形成する、表示装置。
【請求項５】
請求項4に記載の表示装置であって、
前記導光板の前記底面は、第一領域及び第二領域を含み、前記第一領域は、前記第一画像に対応し、前記複数の第一微細構造は、前記第一領域に位置し、前記第二領域は、前記第二画像に対応し、前記複数の第二微細構造は、前記第二領域に位置し、前記複数の背景微細構造は、前記底面の全部の領域に分布する、表示装置。
【請求項６】
請求項5に記載の表示装置であって、
前記第一領域及び前記第二領域は、少なくとも、一部が重なる、表示装置。
【請求項７】
請求項5に記載の表示装置であって、
前記第一領域及び前記第二領域は、重ならない、表示装置。
【請求項８】
請求項2に記載の表示装置であって、
前記複数の第一微細構造及び前記複数の背景微細構造は、突起構造又は凹み構造である、表示装置。
【請求項９】
請求項4に記載の表示装置であって、
前記複数の第一微細構造、前記複数の第二微細構造及び前記複数の背景微細構造は、突起構造又は凹み構造である、表示装置。
【請求項１０】
請求項2に記載の表示装置であって、
前記導光板は、さらに、第一側面及び前記第一側面に対向する第二側面を含み、前記第一入光面は、前記第一側面と前記第二側面との間に隣接し、且つ各前記第一微細構造は、前記第一側面から前記第二側面へ延伸した、連続した湾曲構造又は折り曲がり構造である、表示装置。
【請求項１１】
請求項4に記載の表示装置であって、
前記導光板の前記第一入光面は、前記第二入光面に対向し、前記導光板は、さらに、第一側面及び前記第一側面に対向する第二側面を含み、前記第一入光面及び前記第二入光面は、それぞれ、前記第一側面と前記第二側面との間に隣接し、且つ各前記第一微細構造及び各前記第二微細構造は、前記第一側面から前記第二側面へ延伸した、連続した湾曲構造又は折り曲がり構造である、表示装置。
【請求項１２】
請求項2に記載の表示装置であって、
各前記第一微細構造の前記第一傾斜面は、前記第二傾斜面に隣接し、前記第一傾斜面と前記出光面の法線との間は、第一夾角を有し、前記第二傾斜面と前記出光面の法線との間は、第二夾角を有し、且つ前記第一夾角は、前記第二夾角よりも小さい、表示装置。
【請求項１３】
請求項12に記載の表示装置であって、
前記第一夾角の角度は、30度以上であり、且つ50度以下であり、前記第二夾角の角度は、50度よりも大きく、且つ70度以下である、表示装置。
【請求項１４】
請求項4に記載の表示装置であって、
各前記第一微細構造の前記第一傾斜面は、前記第二傾斜面に隣接し、前記第一傾斜面と前記出光面の法線との間は、第一夾角を有し、前記第二傾斜面と前記出光面の法線との間は、第二夾角を有し、且つ前記第一夾角は、前記第二夾角よりも小さく、各前記第二微細構造の前記第三傾斜面は、前記第四傾斜面に隣接し、前記第三傾斜面と前記出光面の法線との間は、第三夾角を有し、前記第四傾斜面と前記出光面の法線との間は、第四夾角を有し、且つ前記第三夾角は、前記第四夾角よりも小さい、表示装置。
【請求項１５】
請求項14に記載の表示装置であって、
前記第一夾角の角度は、30度以上であり、且つ50度以下であり、前記第二夾角の角度は、50度よりも大きく、且つ70度以下であり、前記第三夾角の角度は、30度以上であり、且つ50度以下であり、前記第四夾角の角度は、50度よりも大きく、且つ70度以下である、表示装置。
【請求項１６】
請求項1に記載の表示装置であって、
前記複数の背景微細構造は、半球形３次元微細構造である、表示装置。
【請求項１７】
請求項1に記載の表示装置であって、
前記表示装置は、さらに、第二光源及び複数の第二微細構造を含み、前記導光板は、さらに、第二入光面を含み、前記第二光源は、前記第二入光面に配置され、且つ第二光線を発して前記第二入光面を経由して前記導光板に伝播させ、
前記導光板は、さらに、第一出光面及び前記第一出光面に対向する第二出光面を含み、前記第一入光面及び前記第二入光面は、それぞれ、前記第一出光面と前記第二出光面との間に隣接し、前記複数の第一微細構造は、前記第一出光面に配置され、前記複数の第二微細構造は、前記第二出光面に配置され、前記複数の背景微細構造は、前記第一出光面及び前記第二出光面に配置され、各前記第二微細構造は、互いに対称でない第三傾斜面及び第四傾斜面を有し、且つ前記第三傾斜面は、前記第二光源に面し、前記第三傾斜面は、前記第二光線を反射し、前記複数の背景微細構造は、前記第一光線及び前記第二光線を乱反射し、前記第一光線は、前記複数の第一微細構造の前記第一傾斜面により反射されて前記第二出光面から射出して第一画像を形成し、前記第二光線は、前記複数の第二微細構造の前記第三傾斜面により反射されて前記第一出光面から射出して第二画像を形成する、表示装置。
【請求項１８】
請求項1に記載の表示装置であって、
前記導光板の一方側に配置される表示パネルをさらに含む、表示装置。
【考案の詳細な説明】
【技術分野】
【０００１】
本考案は、表示装置に関し、特に、バックライトモジュールを有する表示装置に関する。
【背景技術】
【０００２】
液晶表示器には、主に、バックライトモジュール、表示パネル、外枠などのコンポーネントが含まれる。光源方向が異なることにより、バックライトモジュールは、エッジライト型バックライトモジュールと直下型バックライトモジュールに分けられる。エッジライト型バックライトモジュールを例とすると、エッジライト型バックライトモジュールは、光源、導光板、反射シート、光学フィルム、機構部品(例えば、前枠、後枠)などを含み、そのうち、導光板は、製造プロセスが異なることにより、主に、射出成形、熱間プレスなどの類型に分かられるが、どんな種類の製造プロセスにより完成された導光板にもかかわらず、光源が出力した光線は、すべて、導光板の出光面から大角度の傾斜方向で出光し、そして、光学フィルムにより正面方向にガイドされ、これにより、液晶表示器の高輝度且つ正面方向での出光の要求を満たすことができる。
【０００３】
上述から分かるように、液晶表示器に用いられる従来の導光板は、光学フィルムを増設することによって光線を正面方向にガイドして輝度を向上させる必要があるが、光学フィルムを増設することは、製造コストの増加をもたらすことができる。また、従来の導光板を、光学フィルムを増設することができない表示器(例えば、透明表示器又は電気泳動型表示器)に応用する場合、出光角度が大き過ぎるため、正面方向の輝度が低すぎるようにさせることができる。さらに、従来の導光板において微細構造を製作して対応する発光パターンを形成するときに、微細構造が、異なる入光側の光線を選択して反射を行うことができないため、同じ導光板上では、１種類の発光パターンしか表示できず、また、微細構造が、異なる入光側の光線を選択して反射を行うことができないため、導光板は、特定の発光領域が特定の入光側の光源に対応するように設計することもできない。よって、このような問題を如何に改善するかは、当業者が注目すべきポイントである。
【０００４】
なお、この「背景技術」の部分が、本考案の内容への理解を助けるためだけのものであるため、この「背景技術」の部分に開示されている内容は、当業者に知られていない技術を含む可能性がある。よって、この「背景技術」の部分に開示されている内容は、該内容、又は、本考案の１つ又は複数の実施例が解決しようとする課題が本考案の出願前に既に当業者に周知されていることを意味しない。
【考案の概要】
【考案が解決しようとする課題】
【０００５】
本考案の目的は、構造の設計が、輝度を向上させ、瑕疵又は汚点を覆い隠し、及び干渉(Cross  talk)を低減することができる効果及び機能を有する表示装置を提供することにある。
【０００６】
本考案の他の目的及び利点は、本考案に開示されている技術的特徴からさらに理解することができる。
【課題を解決するための手段】
【０００７】
上述の一部若しくは全部の目的又は他の目的を達成するために、本考案は、表示装置を提供し、それは、導光板、第一光源、複数の第一微細構造及び複数の背景微細構造を含む。導光板は、第一入光面を含む。第一光源は、第一入光面に配置される。第一光源は、第一光線を発して第一入光面を経由して導光板に伝播させる。複数の第一微細構造は、導光板に配置され、各第一微細構造は、互いに対称でない第一傾斜面及び第二傾斜面を有し、且つ、第一傾斜面は、第一光源に面し、第一傾斜面は、第一光線を反射する。複数の背景微細構造は、導光板に配置され、各背景微細構造は、少なくとも１つの対称軸を有する。
【考案の効果】
【０００８】
本考案の実施例による表示装置は、その導光板に、構造が対称でない複数の微細構造(第一微細構造又は第二微細構造)及び構造が対称である複数の背景微細構造が配置され、このような構造の設計下で、表示装置の輝度を有効に向上させ、導光板上での瑕疵又は汚点を覆い隠し、及び非作用光(第一傾斜面又は第三傾斜面により反射される光線でないもの)による干渉を大幅に低減することができ、また、さらにローカルディミング(Local  Dimming)の効果及び機能を達成することができる。また、本考案における表示装置のアーキテクチャは、光学フィルムを使用することができない透明表示器又は電子ペーパー表示器に応用されても、同様に良好な輝度表現を有する。
【０００９】
本考案の上述の特徴及び利点をより明らかにするために、以下、実施例を挙げて添付した図面を参照することにより、詳細に説明する。
【図面の簡単な説明】
【００１０】
【図１】本考案の一実施例における表示装置1の下面図である。
【図２】図1のAA線分に沿った断面図である。
【図３】本考案の他の実施例における表示装置の下面図である。
【図４】図3に示すBB線分に沿った断面図である。
【図５】本考案の他の実施例における表示装置の下面図である。
【図６】本考案の他の実施例における表示装置の断面図である。
【図７】本考案の他の実施例における表示装置の断面図である。
【図８】本考案の他の実施例における表示装置の下面図である。
【図９】図8に示す第一微細構造の立体構造図である。
【図１０】図8に示す第一微細構造の他の立体構造図である。
【考案を実施するための形態】
【００１１】
本考案の上述した及び他の技術的内容、特徴、機能及び効果は、添付した図面に基づく次のような好ましい実施例の詳細な説明において明確になる。なお、次の実施例に言及されている方向についての用語、例えば、上、下、左、右、前又は後などは、添付した図面の方向に過ぎない。よって、使用されている方向の用語は、本考案を説明するためだけのものであり、本考案を限定するためのものではない。
【００１２】
図1は、本考案の一実施例における表示装置1の下面図である。図2は、図1のAA線分に沿った断面図である。図1及び図2に示すように、本考案の表示装置1は、導光板11、第一光源12、複数の第一微細構造13及び複数の背景微細構造14を含む。導光板11は、第一入光面111を含む。第一光源12は、導光板11の第一入光面111に配置され、且つ第一光源12は、第一光線L1を発して第一入光面111を経由して導光板11に伝播させる。これらの第一微細構造13は、導光板11に配置され、各第一微細構造13は、互いに対称でない第一傾斜面131及び第二傾斜面132を有し、且つ第一傾斜面131は、第一光源12に面し、また、第一光源12からの第一光線L1を反射する。これらの背景微細構造14は、導光板11に配置され、各背景微細構造14は、少なくとも１つの対称軸aを有する。
【００１３】
以下、再び本実施例における表示装置1の詳細構造についてさらに説明する。
【００１４】
図1及び図2に示すように、本実施例の導光板11は、さらに、出光面112及び出光面112に対向する底面113を含み、出光面112及び底面113は、それぞれ、第一入光面111に隣接し、即ち、第一入光面111は、出光面112と底面113との間に隣接する。本実施例では、これらの第一微細構造13及びこれらの背景微細構造14は、導光板11の底面113に配置され、第一光源12が発した第一光線L1は、これらの第一微細構造13の第一傾斜面131により反射されて導光板11の出光面112から射出する。具体的に言えば、本実施例の第一微細構造13は、導光板11の底面113において配列されて第一図形(図1に示すような図形)を成し、第一光源12が発した第一光線L1は、これらの第一微細構造13の第一傾斜面131により反射されて導光板11の出光面112から射出した後に第一図形に対応する第一画像を形成する。なお、本考案は、これらの第一微細構造13の配列方式について限定せず、これらの第一微細構造13の配列方式は、実際のニーズに応じて、異なる図形に配列されても良い。これらの背景微細構造14は、第一図形以外の領域に均一に分布するが、本考案では、これらの背景微細構造14が導光板11の底面113に分布する分布密度及び配列方式が限定されず、これらの背景微細構造14の分布密度及び配列方式は、第一微細構造13の分布密度及び実際のニーズに応じて異なっても良く、第一光源12が発した第一光線L1は、これらの背景微細構造14により乱反射される。なお、本実施例におけるこれらの背景微細構造14が導光板11の底面113に配置されるのは、本考案の一実施例に過ぎず、他の実施例では、これらの背景微細構造14は、導光板11の出光面112に配置されても良い。これらの背景微細構造14が導光板11の出光面112に配置される場合、これらの背景微細構造14は、導光板11の出光面112全体に均一に分布しても良く、即ち、導光板11の出光面112の上から下へ導光板11を見るときに、これらの背景微細構造14は、これらの第一微細構造13が配列されて成した第一図形と少なくとも一部重なって良い。
【００１５】
図1及び図2に示すように、本実施例の各第一微細構造13の第一傾斜面131は、第二傾斜面132と互いに隣接し、第一傾斜面131と導光板11の出光面112の法線Nとの間は、第一夾角θ1を有し、第二傾斜面132と導光板11の出光面112の法線Nとの間は、第二夾角θ2を有し、且つ第一夾角θ1の角度は、第二夾角θ2の角度よりも小さく、本実施例では、第一夾角θ1の角度は、30度以上であり、且つ50度以下であり、第二夾角θ2の角度は、50度よりも大きく、且つ70度以下である。第一夾角θ1の角度が第二夾角θ2よりも小さいため、即ち、これらの第一微細構造13が非対称構造であるため、第一光源12が発した第一光線L1は、これらの第一微細構造13の第一傾斜面131により反射された後の光線が出光面112の法線Nに接近することができ、即ち、第一光源12が発した第一光線L1は、正面方向に沿って導光板11の出光面112から射出することができる。逆に、これらの背景微細構造14が対称軸aを有する対称構造であるため、光源12が発した第一光線L1は、これらの背景微細構造14により乱反射された後の光線が各角度に沿って拡散され、即ち、第一光線L1がこれらの第一微細構造13により反射された後の輝度は、第一光線L1がこれらの背景微細構造14により乱反射された後の輝度よりも高い。また、導光板11に瑕疵又は汚点を有する場合、これらの瑕疵又は汚点は、第一光線L1及び周辺の環境光を乱反射させ、不均一な輝度を引き起こすことができる。しかし、第一光線L1及び周辺の環境光は、これらの背景微細構造14により乱反射することもできる。この場合、上述の光線がこれらの背景微細構造14により乱反射された後の輝度は、上述の光線が導光板11上での瑕疵又は汚点により乱反射された後の輝度を覆いかぶせることができる。そのため、視覚上で導光板11上での瑕疵又は汚点を相対的に明らかでないようにさせることができる。また、本実施例では、これらの第一微細構造13及びこれらの背景微細構造14は、例えば、導光板11の底面113から内へ窪んだ凹み構造であるが、本考案では、これに限定されず、他の実施例では、これらの第一微細構造13及びこれらの背景微細構造14は、例えば、導光板11の底面113から外へ突出した突起構造であっても良く、或いは、これらの背景微細構造14は、例えば、導光板11の出光面112から内へ窪んだ凹み構造、又は、導光板11の出光面112から外へ突出した突起構造であっても良い。本実施例では、これらの背景微細構造14は、例えば、半球形３次元微細構造であるが、本考案は、これに限定されない。
【００１６】
上述から分かるように、本実施例の導光板11に、構造が対称でない複数の第一微細構造13及び構造が対称である複数の背景微細構造14が配置され、このような構造の設計下で、表示装置1の輝度を有効に向上させ、且つ導光板11上での瑕疵又は汚点を覆い隠す効果及び機能を達成することができる。
【００１７】
図3は、本考案の他の実施例における表示装置1aの下面図である。図4は、図3に示すBB線分に沿った断面図である。図3及び図4に示すように、本実施例の表示装置1aは、図1及び図2に示す表示装置1に類似したが、両者の相違点は、本実施例の表示装置1aがさらに第二光源15及び複数の第二微細構造16を含み、且つ導光板11aがさらに第二入光面114を含むことにある。第二光源15は、導光板11aの第二入光面114に配置され、且つ第二光源15は、第二光線L2を発して導光板11aの第二入光面114を経由して導光板11aに伝播させる。これらの第二微細構造16は、導光板11aに配置され、各第二微細構造16は、互いに対称でない第三傾斜面161及び第四傾斜面162を有し、且つ第三傾斜面161は、第二光源15に面し、また、第二光源15からの第一光線L2を反射する。本実施例では、これらの背景微細構造14は、第一光源12が発した第一光線L1及び第二光源15が発した第二光線L2を乱反射させる。
【００１８】
図3及び図4に示すように、本実施例では、導光板11aの第二入光面114は、第一入光面111と互に対向し、且つ導光板11aの出光面112及び底面113は、それぞれ、第一入光面111と第二入光面114との間に隣接し、これらの第一微細構造13、これらの第二微細構造16及びこれらの背景微細構造14は、導光板11aの底面113に配置され、第二光源15が発した第二光線L2は、これらの第二微細構造16の第三傾斜面161により反射されて導光板11aの出光面112から射出する。具体的に言えば、本実施例の第二微細構造16は、導光板11aの底面113において配列されて第一図形と異なる第二図形(図3に示すように)を成し、第二光源12が発した第二光線L2は、これらの第二微細構造16の第三傾斜面161により反射されて導光板11aの出光面112から射出した後に第二図形に対応する第二画像を形成し、また、これらの背景微細構造14は、第一図形及び第二図形以外の領域に均一に分布し、第一光源12が発した第一光線L1及び第二光源15が発した第二光線L2は、これらの背景微細構造14により乱反射される。具体的に言えば、本実施例の導光板11aの底面113は、第一領域R1及び第二領域R2を含む。本実施例では、底面113の第一領域R1は、第一画像に対応し、即ち、これらの第一微細構造13が構成した第一図形は、第一領域R1内に位置し、底面113の第二領域R2は、第二画像に対応し、即ち、これらの第二微細構造16が構成した第二図形は、第二領域R2内に位置し、且つ底面113の第一領域R1及び第二領域R2は、少なくとも一部が互いに重なり、また、これらの背景微細構造14は、底面113の第一領域R1及び第二領域R2内、及び、第一領域R1及び第二領域R2以外の全部の領域に分布する。
【００１９】
なお、本考案は、これらの第二微細構造16の配列方式について限定せず、これらの第二微細構造16の配列方式は、実際のニーズに応じて、異なる図形に配列されても良い。また、本考案は、上述のこれらの背景微細構造14が導光板11aの底面113に分布する分布密度及び配列方式について限定せず、これらの背景微細構造14の分布密度及び配列方式は、第一微細構造13及び第二微細構造16の分布密度及び実際のニーズに応じて異なっても良い。また、上述の導光板11aの第二入光面114及び第一入光面111の互いに対向する設計は、本考案の一実施例に過ぎず、本考案は、これに限定されず、他の実施例では、第一入光面111及び第二入光面114は、互いに隣接しても良い。また、上述のこれらの背景微細構造14が導光板11aの底面113に配置されるのは、本考案の一実施例に過ぎず、他の実施例では、これらの背景微細構造14は、導光板11aの出光面112に配置されても良い。これらの背景微細構造14が導光板11aの出光面112に配置される場合、これらの背景微細構造14は、導光板11aの出光面112全体に均一に分布しも良く、即ち、導光板11aの出光面112の上から下へ導光板11を見るときに、これらの背景微細構造14は、これらの第一微細構造13が配列されて成した第一図形、又は、これらの第二微細構造16が配列されて成した第二図形と少なくとも一部重なっても良い。
【００２０】
図3及び図4に示すように、本実施例の各第二微細構造16の第三傾斜面161は、第四傾斜面162と互いに隣接し、第三傾斜面161と出光面112の法線Nとの間は、第三夾角θ3を有し、第四傾斜面162と出光面112の法線Nとの間は、第四夾角θ4を有し、且つ第三夾角θ3の角度は、第四夾角θ4の角度よりも小さく、本実施例では、第三夾角θ3の角度は、30度以上であり、且つ50度以下であり、第四夾角θ4の角度は、50度よりも大きく、且つ70度以下である。第三夾角θ3の角度が第四夾角θ4よりも小さいため、即ち、これらの第二微細構造16が非対称構造であるので、第二光源15が発した第二光線L2は、これらの第二微細構造16の第三傾斜面161により反射された後の光線が出光面112の法線Nに接近することができ、即ち、第二光源15が発した第二光線L2は、正面方向に沿って導光板11aの出光面112から射出することができる。逆に、これらの背景微細構造14が対称軸aを有する対称構造であるので、第一光源12が発した第一光線L1及び第二光源15が発した第二光線L2は、これらの背景微細構造14により乱反射された後の光線が各角度に沿って拡散され、即ち、第一光線L1がこれらの第一微細構造13により反射された後の輝度は、第一光線L1がこれらの背景微細構造14により乱反射された後の輝度よりも高く、第二光線L2がこれらの第二微細構造16により反射された後の輝度も、同様に、第一光線L1がこれらの背景微細構造14により乱反射された後の輝度よりも高い。また、本実施例では、これらの第一微細構造13、これらの第二微細構造16及びこれらの背景微細構造14は、例えば、導光板11aの底面113から内へ窪んだ凹み構造であるが、本考案は、これに限定されず、他の実施例では、これらの第一微細構造13、これらの第二微細構造16及びこれらの背景微細構造14は、例えば、導光板11aの底面113から外へ突出した突起構造であっても良く、或いは、これらの背景微細構造14は、例えば、導光板11aの出光面112から内へ窪んだ凹み構造、又は、導光板11aの出光面112から外へ突出した突起構造であっても良い。本実施例では、これらの背景微細構造14は、例えば、半球形３次元微細構造であるが、本考案は、これに限定されない。
【００２１】
上述から分かるように、本実施例の導光板11aに、構造が対称でない複数の第一微細構造13、第二微細構造16及び構造が対称である複数の背景微細構造14が配置され、このような構造の設計下で、非作用光(第一傾斜面131又は第三傾斜面161により反射される光線でないもの)による干渉(Cross  talk)を大幅に低減することができ、例を挙げて言えば、これらの第一微細構造13が構成した第一図形に対応する第一画像を表示しようとする場合、第一光源12が発した第一光線L1は、これらの第一微細構造13の第一傾斜面131により反射されて導光板11aの出光面112から射出した後に第一画像を形成するが、これらの第二微細構造16の第四傾斜面162が第一光源12に面するので、依然として、少数の第一光線L1は、これらの第二微細構造16の第四傾斜面162により反射されて僅かな輝度を有する。本考案のこれらの背景微細構造14を配置しない場合、第一画像が表示されると同時に、依然として、これらの第二微細構造16が構成した第二図形に対応する第二画像を表示することができる。逆に、本考案のこれらの背景微細構造14を配置した場合、これらの背景微細構造14が第一光線L1及び第二光線L2を乱反射して僅かな輝度を持たせるため、これらの背景微細構造14により生成された僅かな輝度は、これらの第二微細構造16により生成された僅かな輝度を覆いかぶせることができ、これにより、第二画像は、第一画像が表示されると同時に、相対的に明らかでないようになる。このようにして、表示装置1aは、第一光源12のみがオン（点灯）になり、又は、第二光源15のみがオン（点灯）になる時に、第一画像及び第二画像が同時に現れることがない。なお、本実施例のこれらの背景微細構造14は、干渉が比較的酷い領域において、これらの背景微細構造14の分布密度を向上させることができる。
【００２２】
図5は、本考案の他の実施例における表示装置1bの下面図である。図5に示すように、本実施例の表示装置1bは、図3及び図4に示す表示装置1aに類似したが、両者の相違点は、本実施例では、導光板11bの底面113の第一領域R1が第一画像に対応し、即ち、これらの第一微細構造13が構成した第一図形が第一領域R1内に位置し、底面113の第二領域R2が第二画像に対応し、即ち、これらの第二微細構造16が構成した第二図形が第二領域R2内に位置し、且つ底面113の第一領域R1及び第二領域R2が互いに重ならず、また、これらの背景微細構造14が底面113の第一領域R1及び第二領域R2内、及び、第一領域R1及び第二領域R2以外の全部の領域に位置することにある。本実施例の表示装置1bは、さらにローカルディミング(Local  Dimming)を行うために用いられ、且つこれらの背景微細構造14により、前述のように、非作用光による干渉を低減することができる。このようにして、表示装置1bは、第一光源12又は第二光源15のみがオン（点灯）の時に、第一画像及び第二画像が同時に現れることがない。
【００２３】
図6は、本考案の他の実施例における表示装置1cの断面図である。図6に示すように、本実施例の表示装置1cは、図3及び図4に示す表示装置1aに類似したが、両者の相違点は、本実施例の導光板11cが第一出光面115及び第一出光面115に対向する第二出光面116を含み、第一入光面111及び第二入光面114がそれぞれ第一出光面115と第二出光面116との間に隣接し、且つこれらの第一微細構造13が第一出光面115に配置され、これらの第二微細構造16が第二出光面116に配置され、また、これらの背景微細構造14が第一出光面115及び第二出光面116に配置されることにある。本実施例では、第一光源12が発した第一光線L1は、これらの第一微細構造13の第一傾斜面131により反射されて導光板11cの第二出光面116から射出して第一画像を形成し、第二光源15が発した第二光線L2は、これらの第二微細構造16の第三傾斜面161により反射されて導光板11cの第一出光面115から射出して第二画像を形成する。本実施例における表示装置1cの構造の設計下で、双面表示の効果及び機能を達成することができ、且つ本実施例の表示装置1cは、同様に、輝度を向上させ、及び、非作用光による干渉を大幅に低減することができる効果及び機能を有する。
【００２４】
図7は、本考案の他の実施例における表示装置1dの断面図である。図7に示すように、本実施例の表示装置1dは、図1及び図2に示す表示装置に類似したが、両者の相違点は、本実施例の表示装置1dがさらに表示パネル17を含むことにある。表示パネル17は、導光板11dの一方側に配置され、具体的に言えば、表示パネル17は、導光板11dの出光面112の上に配置され、即ち、導光板11dの出光面112は、表示パネル17と底面113との間に位置する。本実施例では、表示装置1dは、例えば、透明液晶表示器であり、表示パネル17は、例えば、透明液晶表示パネルであり、その表示面は、導光板11dの出光面112から離れる。一実施例では、表示装置1dは、例えば、反射型液晶表示器であり、表示パネル17は、例えば、反射型液晶表示パネルであり、その表示面は、導光板11dの出光面112に面する。他の実施例では、表示装置1dは、例えば、電子ペーパー表示器であり、表示パネル17は、例えば、電気泳動型表示パネルであり、その表示面は、導光板11dの出光面112に面する。上述の透明液晶表示器、反射型液晶表示器及び電子ペーパー表示器のアーキテクチャでは、光学フィルムが全く配置されないが、本考案では、導光板11d上で第一微細構造13及び背景微細構造14が配置されるので、表示装置1dは、光学フィルムを有しない場合、依然として、輝度を向上させる効果及び機能、及び、導光板11d上での瑕疵又は汚点を覆い隠す効果及び機能を有する。
【００２５】
図8は、本考案の他の実施例における表示装置1eの下面図である。図9は、図8に示す第一微細構造13eの立体構造図である。図10は、図8に示す第一微細構造の他の立体構造図である。図8に示すように、本実施例の表示装置1eは、図1及び図2に示す表示装置に類似したが、両者の相違点は、本実施例の表示装置1eの第一微細構造13eが連続した湾曲又は折り曲がり構造であることにある。具体的に言えば、本実施例の導光板11eは、さらに、第一側面117及び第一側面117に対向する第二側面118を含み、導光板11eの第一入光面111は、第一側面117と第二側面118との間に隣接し、各第一微細構造13eは、第一側面117から第二側面118へ延伸した、連続した湾曲又は折り曲がり構造である。以下、図9及び図10を参照して、これらの連続した湾曲又は折り曲がり構造の形状をより容易に理解することができる。本実施例では、各第一微細構造13eの立体構造は、図9に示すようであり、例えば、弧状の連続した湾曲構造であっても良いが、下面図においては、図8に示すように、各第一微細構造13eの形状は、例えば、少なくとも１つの扇形により構成されてもよいが、本考案は、これに限定されない。或いは、各第一微細構造13eの他の立体構造は、図10に示すようであり、例えば、連続した折り曲がり構造であり、下面図においては、図8に示すように、各第一微細構造13eの形状は、例えば、少なくとも２つの四辺形により構成されるが、本考案は、これに限定されない。また、本実施例では、図8は、表示装置1eにおいて図9の弧状の連続した湾曲構造及び図10の連続した折り曲がり構造の２種類の第一微細構造13eを同時に有することを示すが、他の実施例では、表示装置1eの第一微細構造13eは、例えば、すべて、図9の弧状の連続した湾曲構造であっても良く、或いは、表示装置1eの第一微細構造13eは、例えば、すべて、図10の連続した折り曲がり構造であっても良い。
【００２６】
以上をまとめると、本考案の実施例による表示装置は、導光板に、構造が対称でない複数の微細構造(第一微細構造又は第二微細構造)及び構造が対称である複数の背景微細構造が配置され、このような構造の設計下で、表示装置の輝度を有効に向上させ、導光板上での瑕疵又は汚点を覆い隠し、及び非作用光(第一傾斜面又は第三傾斜面により反射される光線でないもの)による干渉を大幅に低減することができ、また、さらにローカルディミング(Local  Dimming)の効果及び機能を達成することができる。また、本考案における表示装置のアーキテクチャは、光学フィルムを使用することができない透明表示器又は電子ペーパー表示器に応用されても、同様に、良好な輝度表現を有する。
【００２７】
本考案は、前述した好適な実施例に基づいて以上のように開示されたが、前述した好適な実施例は、本考案を限定するためのものでなく、当業者は、本考案の思想と範囲を離脱しない限り、本考案に対して些細な変更と潤色を行うことができるので、本考案の保護範囲は、添付した実用新案登録請求の範囲に定まったものを基準とする。また、本考案の何れの実施例又は実用新案登録請求の範囲は、本考案に開示された全ての目的又は利点又は特徴を達成する必要がない。また、要約の一部と考案の名称は、文献の検索を助けるためのみのものであり、本考案の権利範囲を限定するものでない。また、本明細書又は実用新案登録請求の範囲に言及されている「第一」、「第二」などの用語は、要素（element）に名前を付け、または、異なる実施例又は範囲を区別するためのもののみであり、要素の数量上での上限又は下限を限定するためのものでない。
【符号の説明】
【００２８】
1、1a、1b、1c、1d、1e：表示装置
11、11a、11b、11c、11d、11e：導光板
12：第一光源
13、13e：第一微細構造
14：背景微細構造
15：第二光源
16：第二微細構造
17：表示パネル
111：第一入光面
112：出光面
113：底面
114：第二入光面
115：第一出光面
116：第二出光面
117：第一側面
118：第二側面
131：第一傾斜面
132：第二傾斜面
161：第三傾斜面
162：第四傾斜面
a：対称軸
L1：第一光線
L2：第二光線
N：法線
R1：第一領域
R2：第二領域
θ1：第一夾角
θ2：第二夾角
θ3：第三夾角
θ4：第四夾角
AA、BB：線分
【図１】
0003215833.tif 000003
【図２】
0003215833.tif 000004
【図３】
0003215833.tif 000005
【図４】
0003215833.tif 000006
【図５】
0003215833.tif 000007
【図６】
0003215833.tif 000008
【図７】
0003215833.tif 000009
【図８】
0003215833.tif 000010
【図９】
0003215833.tif 000011
【図１０】
0003215833.tif 000012